(57)【要約】【課題】Ｚ軸断面が略長方形のスロットコアであってもフェライトコア成型時の寸法安定性を保つことができる、画像特性バラツキの少ないカラー受像管を提供する。【解決手段】偏向ヨーク４のフェライトコア９は、その内面に、Ｚ軸に向かって突出し、かつ、長手方向がＺ軸を含む平面に沿うように設けられた複数の凸部５１を有し、凸部５１間に溝部１０を有し、フェライトコア９のＺ軸に垂直な断面の内面形状は、溝部１０の包絡線が円をなしており、凸部５１の先端部の包絡線は、電子銃側で円をなし、スクリーン側で略長方形をなしている。【選択図】　図２
2004014349.tif 000002
【特許請求の範囲】
【請求項１】
内面に蛍光体スクリーン面が形成されたパネルとファンネルとが外囲器を構成し、前記ファンネルのネック部内に電子銃が設けられ、前記ファンネルの外面に偏向ヨークが設けられたカラー受像管装置であって、
前記偏向ヨークは、フェライトコアと、前記フェライトコアに巻かれた水平コイルおよび垂直コイルと、前記水平コイルと垂直コイルとを絶縁するための絶縁体とを備えており、
前記フェライトコアは、その内面に、Ｚ軸に向かって突出し、かつ、長手方向がＺ軸を含む平面に沿うように設けられた複数の凸部を有し、前記凸部と凸部との間に溝部を有し、
前記フェライトコアのＺ軸に垂直な断面の内面形状は、前記溝部の包絡線が円をなしており、前記凸部の先端部の包絡線は、電子銃側で円をなし、スクリーン側で略長方形をなしていることを特徴とするカラー受像管装置。
【請求項２】
水平コイルおよび垂直コイルの少なくとも一方が前記溝部に巻線されており、
前記水平コイルまたは垂直コイルのＺ軸に垂直な断面の内面形状は、電子銃側で円をなし、スクリーン側で略長方形をなしていることを特徴とする請求項１に記載のカラー受像管装置。
【発明の詳細な説明】
【０００１】
【発明の属する技術分野】
本発明は、テレビジョンやコンピュータディスプレイ等に用いられるカラー受像管装置に関し、偏向ヨークに用いる磁気コアの構造に関する。
【０００２】
【従来の技術】
図３は、一般にスロットコアと呼ばれているフェライトコアのＺ軸断面を示す。偏向ヨークのフェライトコア１７の内面に、概ねＺ軸（中心０）に向かって突出する凸部１８を複数設けて、隣り合う凸部１８間の溝部に垂直コイル１９と水平コイル２０とを、絶縁スペーサ３１を介して巻き線するものである。この技術は、実開昭６１−５６７５７号公報に開示されている。スロットコアは、凸部が無い通常の偏向ヨークに比べ、フェライトコアを受像管に近づけることができるため、偏向感度の点で有利である。また、コイルに磁束が鎖交しにくくなり、渦電流損失が低減して偏向ヨークの発熱も低減できる。
【０００３】
近年、カラー受像管のファンネルのＺ軸と垂直な断面の形状を、ネック部を円形とし、他の部分を全体として丸みを帯びた長方形、または角部が丸みを帯びた長方形（以下、「略長方形」と呼ぶ。）にすることにより、偏向ヨークと電子ビームとの距離を近づけ、偏向パワーを低減させる技術が一般的になっている。
【０００４】
図４は、略長方形のファンネルに装着する、スロットコアを用いた偏向ヨークのＺ軸断面図を示す。ファンネルの外形にあわせて、偏向ヨークの水平コイル１２、垂直コイル１３、フェライトコア１４のそれぞれの断面形状も略長方形である。フェライトコア１４の内面に凸部２１が複数設けられており、凸部２１の先端部の包絡線１６（破線で示す）、凸部２１の間の溝部１５の包絡線もまた略長方形である。
【０００５】
図４に示すように、フェライトコア１４の内面の溝部１５が形成する略長方形は、水平軸（Ｘ軸）上、垂直軸（Ｙ軸）上、対角軸上にそれぞれ中心をもつ３つの円弧ＲＬ、ＲＳ、ＲＤの組み合わせからなる。Ｚ軸０を中心とする円形状のものと比べて、複雑な幾何学設計となっている。
【０００６】
【発明が解決しようとする課題】
Ｚ軸断面が略長方形のスロットコアでは、従来の円形状のものに比べて、フェライトコア成型時の収縮方向が幾何学的に複雑になる。そのため、寸法安定性が円形状のものに比べて悪く、画像特性バラツキをより生じさせやすいという問題点を有している。
【０００７】
本発明はこのような課題を解決するためになされたものであり、Ｚ軸断面が略長方形のスロットコアであってもフェライトコア成型時の寸法安定性を保つことができる、画像特性バラツキの少ないカラー受像管を提供することを目的とする。
【０００８】
【課題を解決するための手段】
上記目的を達成するために、本発明のカラー受像管装置は、内面に蛍光体スクリーン面が形成されたパネルとファンネルとが外囲器を構成し、前記ファンネルのネック部内に電子銃が設けられ、前記ファンネルの外面に偏向ヨークが設けられたカラー受像管装置であって、前記偏向ヨークは、フェライトコアと、前記フェライトコアに巻かれた水平コイルおよび垂直コイルと、前記水平コイルと垂直コイルとを絶縁するための絶縁体とを備えており、前記フェライトコアは、その内面に、Ｚ軸に向かって突出し、かつ、長手方向がＺ軸を含む平面に沿うように設けられた複数の凸部を有し、前記凸部と凸部との間に溝部を有し、前記フェライトコアのＺ軸に垂直な断面の内面形状は、前記溝部の包絡線が円をなしており、前記凸部の先端部の包絡線は、電子銃側で円をなし、スクリーン側で略長方形をなしていることを特徴とする（請求項１）。
【０００９】
この構成により、スロットコアであってもフェライトコア成型時の寸法安定性を保つことができる。
【００１０】
また、水平コイルおよび垂直コイルの少なくとも一方が前記溝部に巻線されており、前記水平コイルまたは垂直コイルのＺ軸に垂直な断面の内面形状は、電子銃側で円をなし、スクリーン側で略長方形をなしていることを特徴とする（請求項２）。
【００１１】
この構成により、電子ビームとの距離を近づけることができ、水平偏向パワーおよび垂直偏向パワーを最大限に低減できる。
【００１２】
【発明の実施の形態】
本発明の実施の形態について、図面を用いて説明する。
【００１３】
図１は、本発明のカラー受像管装置の側面図である。カラー受像管装置は、内面に蛍光体スクリーン面が形成された前面平面パネル１とファンネル２とが外囲器を構成し、ファンネル２のネック部内に電子銃３が設置され、ファンネル２の外面に偏向ヨーク４、コンバーゼンスヨーク５が装着される。
【００１４】
図２は、本発明に係る偏向ヨーク４のＺ軸と垂直な断面を示す。フェライトコア９を含む領域でのスクリーン面と平行な面での断面であり、ファンネルの外形が略長方形となっているスクリーン面側における断面である。Ｘは水平軸を、Ｙは垂直軸をそれぞれ示し、両軸が交わる０において両軸と直角に交わる軸がＺ軸（管軸）である。偏向ヨーク４は、サドル型の水平コイル６と、垂直コイル７と、水平コイル６と垂直コイル７とを絶縁するための絶縁スペーサ８と、フェライトコア９とを有する。各コイルの断面は、簡略化のためハッチングで示す。
【００１５】
フェライトコア９の内面には、Ｚ軸０に向かって突出する凸部５１が、等間隔で設けられている。凸部５１は、フェライトコア９の電子銃側端部からスクリーン側端部にわたる領域に、Ｚ軸を含む平面に沿って設けられている。本実施の形態では、１８°おきに合計２０個設けられている。隣り合う凸部５１の間は、溝部１０である。
【００１６】
図２に示すように、凸部５１の先端部の包絡線１１（破線で示す）は、ファンネルの外形に合わせた略長方形である。「略長方形」とは、全体として丸みを帯びた長方形や、角部が丸みを帯びた長方形等をいう。また、水平コイル６、垂直コイル７、絶縁スペーサ８のそれぞれの内面側（ファンネル側）の包絡線もまた略長方形をなしている。これに対して、フェライトコア９の、溝部１０の包絡線は、Ｚ軸を中心とする円形状となっている。
【００１７】
一方、ファンネル外形が円形である電子銃側（ネック部）においては、図３に示したのと同様に、水平コイル、垂直コイル、凸部、溝部の包絡線がすべてＺ軸を中心とする円形状となっている。
【００１８】
こうした構成により、溝部１０の包絡線のみがＺ軸を中心とする円形状となっているため、フェライトコア成型時の収縮寸法が安定する。公差寸法として、０．２ｍｍを実現できる。図３に示す溝部１５が略長方形のものは公差寸法０．３ｍｍであるから、これに比べて本発明によれば画像特性バラツキが少なくなる。また、電子ビームとコイルおよびフェライトコアとの間の距離を近づけることができ、偏向パワーとしては最大限の低減効果が得られる。また、図４に示す従来のものに比べて、３％程度偏向パワーが増大する。
【００１９】
【発明の効果】
以上説明したように、本発明によれば、ファンネルのＺ軸断面形状が略長方形のものであって、かつ、スロットコアであっても、フェライトコア成型時の寸法安定性を保つことができ、画像特性バラツキの少ない、低偏向電力、低発熱偏向ヨークならびにカラー受像管装置の提供が可能である。
【図面の簡単な説明】
【図１】カラー受像管の側面図
【図２】本発明に係る偏向ヨークのＺ軸断面図
【図３】従来の円形断面のスロットコアのＺ軸断面図
【図４】従来の略長方形断面のスロットコアのＺ軸断面図
【符号の説明】
１　パネル
２　ファンネル
３　電子銃
４　偏向ヨーク
６　水平コイル
７　垂直コイル
８　絶縁スペーサ
９　フェライトコア
１０　溝部
１１　凸部包絡線
５１　凸部
【図１】
2004014349.tif 000003
【図２】
2004014349.tif 000004
【図３】
2004014349.tif 000005
【図４】
2004014349.tif 000006